(57)【特許請求の範囲】
【請求項１】
障子閉塞時に、窓枠の縦枠に設けた屋内外の部片間に、障子の戸先框に設けた屋内外のひれ部片が係合する引き障子において、前記屋内外のひれ部片間に介在する縦框部片と前記屋内外の部片間に介在する戸当りのいずれか一方にＬ字形の受止片を、他方に該受止片のＬ字形に対して逆Ｌ字形の施錠片を、それぞれの先端が障子開閉時に互いに乗り越えて係離する位置にして相対して突設すると共に、前記施錠片を屋内側の外部から操作可能にして前記他方に組付けた縦動材に突設し、該縦動材と前記他方間には該縦動材を前記受止片に前記施錠片が係止する方向に付勢したコイルばねを介在させた、引き障子の施錠装置。
【発明の詳細な説明】
【技術分野】
【０００１】
本発明は引違いサッシや片引きサッシ等に適用する引き障子の施錠装置に関するものである。
【背景技術】
【０００２】
引違いサッシ等の引き障子を施錠するには、具体例を挙げるまでもなく、引き寄せを兼ねるクレセントを用いているのが一般で、該クレセントは、障子閉塞後、障子召合せ框に装置したクレセントを他の障子の召合せ框側或いは方立側に装置した受金具に係止させて施錠操作を行うものである。
【発明の開示】
【発明が解決しようとする課題】
【０００３】
障子の施錠手段として用いているクレセントは、障子閉塞後に別操作として所謂施錠操作を行わざるを得ないため、閉塞操作と施錠操作という二重の操作を必要とするため、その操作が煩雑であり、ときには施錠操作を失念する場合があって防犯上好ましくない。
【０００４】
本発明は斯様な従来例の欠点に着目し、施錠操作を障子閉塞操作に連動して自動的に行え、防犯上好適な施錠装置を提供すべく創案したものである。
【課題を解決するための手段】
【０００５】
障子閉塞時に、窓枠の縦枠に設けた屋内外の部片間に、障子の戸先框に設けた屋内外のひれ部片が係合する引き障子において、前記屋内外のひれ部片間に介在する縦框部片と前記屋内外の部片間に介在する戸当りのいずれか一方にＬ字形の受止片を、他方に該受止片のＬ字形に対して逆Ｌ字形の施錠片を、それぞれの先端が障子開閉時に互いに乗り越えて係離する位置にして相対して突設すると共に、前記施錠片を屋内側の外部から操作可能にして前記他方に組付けた縦動材に突設し、該縦動材と前記他方間には該縦動材を前記受止片に前記施錠片が係止する方向に付勢したコイルばねを介在させた構成とする。
【発明の効果】
【０００６】
本発明によれば、障子を閉塞方向に移動させると、施錠片がコイルばねの付勢に抗して受止片に係止して自動的に施錠され、該施錠状態は、コイルばねの付勢と施錠片の受止片に対する係止関係によって確実に保持することができ、施錠の失念を回避でき、防犯上好適な施錠装置を提供できる。
【実施例】
【０００７】
図面は本発明に係る引き障子の施錠装置の一実施例を示し、図１は要部の縦断面図、図２は図１の横断面図、図３は開放時状態の要部の縦断面図、図４は引違いサッシの略示正面図である。
【０００８】
実施例は、内外の障子ｄ´，ｄが互いに引違う所謂引違いサッシＡに本発明を適用したもので、実施例の引違いサッシＡは、内障子ｄ´の召合せ框１´にクレセント２を、外障子ｄの召合せ框に受け金を設け、障子閉塞時にクレセント２を受け金に係止して内外障子ｄ´，ｄの召合せ框関係において施錠状態を得る一方、各障子ｄ´，ｄの戸先框３´，３と窓枠ｗの縦枠４´，４との関係においても施錠状態を得、すなわち本発明を用いること（前記クレセントによる施錠装置と併用すること）によって尚一層の防犯効果を期待するようにしたものである。
【０００９】
なお、本発明は片引きサッシにも適用できることは勿論である。
【００１０】
以下、外障子ｄの戸先框３とこれに対応する縦枠４との関係での実施例装置を説明し、内障子ｄ´の戸先框３´とこれに対応する縦枠４´との関係の実施例装置は各部材が前記戸先框３等側と対称的な形態を成す点を除く残余の点がほぼ同様の構成を採るので、その説明を省略する。
【００１１】
戸先框３（外障子ｄの）は、横断面方形状の中空主体３ａと該中空主体３ａの内外の部片３ａ´，３ａ´´の屋内外方向の両端にそれぞれ相対して突設した屋内外のひれ部片３ｂ，３ｂ、３ｃ，３ｃで構成し、屋内外の内ひれ部片３ｂ，３ｂと前記内部片３ａ´で構成する係合溝にガラスパネル７を係合して該パネル７と組合わせ、屋内外の外ひれ部片３ｃ，３ｃは障子閉塞時に前記縦枠４の屋内外の部片４ａ，４ａ間に係合するようにして図示省略したシール材と共に水気密性を高めるようにしたものである。
【００１２】
この戸先框３の中空主体３ａの縦方向の中間部には、主体３ａの外部片３ａ´´に設けた窓口を通じて中空方形体で構成した装置基枠８を係合して上下の突部片８´，８´を中空主体３ａの前記外部片３ａ´´に外側から重ね合わせてボルト９で固着し、該装置基枠８の縦長方形中空室８Ａ内には縦動材１５とコイルばね１８を収設し、縦動材１５が、該縦動材１５と前記基枠８の底部片８ａ（すなわち戸先框８側）間に介在させた前記コイルばね１８によって前記中空室８Ａの上端側に常時偏するように配してある。この縦動材１５にはＬ字形（鉤状）の施錠片６を突設し、該施錠片６を装置基枠８の外側部片８ｂ（戸先框３の外部片３ａ´´）に設けた縦長窓口１１を通じて戸先框３の外部である前記外ひれ部片３ｃ，３ｃ間に導出してある。
【００１３】
施錠片６は、前記の通り、Ｌ字形体で成り、前記縦動材１５とで上方開口の係合間隙１０Ａを構成する起立状の先部片６ａの先端外側面には、下方から前記係合間隙１０Ａ方向に次第に近接して傾斜するテーパー縁ａを設けて、縦枠４側に設けた受止片１３の先部片１３ａが該先部片６ａ（すなわち、施錠片６）に係止し易くしてある。
【００１４】
なお、前記縦動材１５は、戸先框３の中空主体３ａの屋内側部片３ａ´´´とこれに重ねた装置基枠部片に設けた一対の縦長長孔２０，２０を通じて該縦動材１５に嵌入させた復帰レバー１９の組付け部片１９ａと接続し、該復帰レバー１９（前記中空主体３ａの外部すなわち戸先框３の屋内側に配した）によって戸先框３外部から縦動（殊に、縦動させて施錠開放を）できるようにしてある。
【００１５】
前記受止片１３は、障子閉塞時に戸先框３の前記外ひれ部片３ｃ，３ｃが係合する係合溝を構成する屋内外の部片４ａ，４ａ間に介在する戸当り１２に装置したもので、取付片１３ｂに施錠片６のＬ字形と逆Ｌ字形にして突設し、取付片１３ｂを前記戸当り１２にボルト９Ａ締めしたもので、先部片１３ａが、障子ｄ（戸先框３）側に設けた施錠片６の先部片６ａと障子閉塞時に衝接する位置にして相対設し、先部片１３ａと取付片１３ｂとの間には施錠片６側の先部片６ａが係合する係合間隙１３Ａを設けたものである。
【００１６】
しかして、障子ｄを閉塞方向、すなわち、戸先框３を戸当り１２方向に移動させると、戸先框３側に装置した施錠片６の先部片６ａが戸当り１２側に設けた受止片１３の先部片１３ａに接触し（このとき、戸先框３側の、屋内外の外ひれ部片３ｃ，３ｃは縦枠４側の部片４ａ，４ａ間に係合されている）、障子ｄ（戸先框３）の閉塞方向への移動を更に継続すると、受止片１３の先部片１３ａを施錠片６の先部片６ａが尚一層押圧するため、施錠片６側の先部片６ａのテーパ縁ａは、コイルばね１８の付勢に抗して降下、すなわち、縦動材１５と一体にした施錠片６はコイルばね１８の付勢に抗して降下し、該先部片６ａが受止片１３の先部片１３ａより外れる位置まで降下し、この降下中、戸先框３（障子ｄ）は戸当り１２（縦枠４）方向に移動しているため、先部片６ａ，１３ａ同士が互いに外れると同時に、前記移動により、施錠片６（の先部片６ａ）が受止片１３の先部片１３ａの内（裏）側に前記コイルばね１８の付勢により係合して（先部片１３ａが係合間隙１０Ａに、先部片６ａが係合間隙１３Ａにそれぞれ係合して）施錠状態を得られる。
【００１７】
施錠状態から開放するには、復帰レバー１９によってコイルばね１８に抗して縦動材１５を押し下げて、施錠片６を受止片１３との係止位置から下方に移動させ、該移動状態つまり前記の押し下げ状態を保持したまま、戸先框３（障子ｄ）を戸当り１２（縦枠４）位置から後退させることによって行われ、適宜の後退位置で復帰レバー１９から指先を離すと、コイルばね１８の付勢によって施錠片６は原位置に復帰し、再び、同様の操作を繰り返すことによって障子閉塞、施錠状態を得ることができるのである。
【００１８】
なお、施錠片６と基部片１３の配置位置を変えても不都合はない、すなわち、施錠片６を縦枠４側に、受止片１３を戸先框３側に配しても不都合はないし、これら各片６，１３の先部片６ａ，１３ａの向きを反対側に向けても、また、コイルばね１８の付勢方向を実施例と反対方向にしても必ずしも不都合がないことは勿論である。
【００１９】
因みに、実施例において縦枠４側の受止片１３の先部片１３ａを下向きに、戸先框３側の施錠片６の先部片６ａを上向きにそれぞれ配してあるが、つまり、定置側（縦枠４側）のＬ字形体（実施例では受止片１３）を下向きに、移動側（戸先框３側）のＬ字形体（実施例では施錠片６）を上向きにして配してあるが、これは、戸先框３側である障子ｄを上昇（けんどん式に）させてもＬ字形体同士、実施例でいえば施錠片６と受止片１３の互いの係止関係が解放できないようにするためで、受止片と施錠片をこのような係止関係にすることによって尚一層の防犯機能を期待することができる。
【図面の簡単な説明】
【００２０】
【図１】要部の縦断面図。
【図２】図１の横断面図。
【図３】開放時状態の要部の縦断面図。
【図４】引違いサッシの略示正面図。
【符号の説明】
【００２１】
６      施錠片
１２    戸当り
１３    受止片
１５    縦動材
１８    コイルばね
ｄ      障子
ｗ      窓枠
【図１】
0004724370.tif 000002
【図２】
0004724370.tif 000003
【図３】
0004724370.tif 000004
【図４】
0004724370.tif 000005